(57)【要約】【課題】作業効率が良好でかつ耐久性の向上を図ることができるホース操作装置を提供する。【解決手段】ホルダ１１がシリンダ部１３と支持部１４とを一体的に有している。支持部１４はシリンダ部１３の先端より前方に伸びている。ホース１２は、柔軟部１７と操作部１８とを一体的に有し、シリンダ部１３の内部を貫通している。柔軟部１７は、弾力的に復元可能な可撓性を有し、シリンダ部１３の先端から突出して支持部１４に揺動可能に取り付けられている。操作部１８は、柔軟部１７より後端側で、シリンダ部１３の後端から突出してシリンダ部１３に対し往復操作可能である。【選択図】図１
2005211802.tif 000002
【特許請求の範囲】
【請求項１】
シリンダ部と、
前記シリンダ部に設けられ前記シリンダ部の先端より前方に伸びる支持部と、
管状の柔軟部と管状の操作部とを有し、前記シリンダ部の内部を貫通し、前記柔軟部が弾力的に復元可能な可撓性を有し前記シリンダ部の先端から突出して前記支持部で揺動可能に支持され、前記操作部が前記柔軟部に一体的に設けられ前記柔軟部より後端側で前記シリンダ部の後端から突出して前記シリンダ部に対し往復操作可能なホースとを、
有することを特徴とするホース操作装置。
【発明の詳細な説明】
【技術分野】
【０００１】
本発明は、ホース操作装置に関する。
【背景技術】
【０００２】
従来のホース操作装置として、高圧洗浄機に用いられるノズルがある。そのノズルは、先端から高圧の水や空気を噴射して洗浄する際に、フレキシブルに噴射角度を任意の角度で調節することができる。また、手持噴射清掃用ノズルであって、可撓性パイプを介して接続されたノズルの先端に連結索を接続し、連結索を引いて手元でノズルの角度を調節可能なものがある（例えば、特許文献１参照）。
【０００３】
【特許文献１】実用新案登録第３０８６９２４号公報
【発明の開示】
【発明が解決しようとする課題】
【０００４】
しかしながら、従来の高圧洗浄機に用いられるノズルでは、噴射角度を変える際に、ノズルを手で曲げる必要があるため、洗浄の作業を一旦中断しなければならず、作業効率が悪いという課題があった。特許文献１記載の手持噴射清掃用ノズルでは、角度を変える力が細い連結索に集中するため、連結索が切れたり、連結索とノズルとの結合部が破損したりして、故障しやすいという課題があった。
【０００５】
本発明は、このような課題に着目してなされたもので、作業効率が良好でかつ耐久性の向上を図ることができるホース操作装置を提供することを目的としている。
【課題を解決するための手段】
【０００６】
上記目的を達成するために、本発明に係るホース操作装置は、シリンダ部と、前記シリンダ部に設けられ前記シリンダ部の先端より前方に伸びる支持部と、管状の柔軟部と管状の操作部とを有し、前記シリンダ部の内部を貫通し、前記柔軟部が弾力的に復元可能な可撓性を有し前記シリンダ部の先端から突出して前記支持部で揺動可能に支持され、前記操作部が前記柔軟部に一体的に設けられ前記柔軟部より後端側で前記シリンダ部の後端から突出して前記シリンダ部に対し往復操作可能なホースとを、有することを特徴とする。
【０００７】
本発明に係るホース操作装置は、シリンダ部の後端から突出したホースの操作部を握ってシリンダ部の先端方向に向けて押すと、ホースの柔軟部が可撓性を有し支持部に揺動可能に取り付けられているため、支持部とシリンダ部の先端との間でホースがたわむ。そのたわみに応じてホースの柔軟部が支持部で揺動する。ホースの押す長さを調節することにより、ホースの柔軟部の開口の角度を調節することができる。操作部をシリンダ部の後端方向に向けて引くと、ホースの柔軟部が弾力的に復元可能な可撓性を有しているため、ホースが元の状態に戻る。
【０００８】
このように、ホースの操作部を手元で往復操作することにより、支持部とシリンダ部の先端との間のホースをたわませ、作業をしながらホースの柔軟部の開口の角度を調節することができるので、作業効率が良好である。また、従来技術のように連結索を用いずに、シリンダ部の内部でホースを往復操作することによりホースの柔軟部の角度を変えるので、耐久性の向上を図ることができる。
【０００９】
本発明に係るホース操作装置は、高圧洗浄機の噴出ノズルや掃除機の吸込ノズルとして好適に用いることができる。高圧洗浄機の噴出ノズルとして用いた場合、ホースの柔軟部の角度を調節することにより、例えば車体の底部などを容易に洗浄することができる。また、掃除機の吸込ノズルとして用いた場合、高い位置や低い位置のほこりやごみを容易に吸引することができる。
【００１０】
なお、シリンダ部は側面にメネジ孔を有し、メネジ孔にはオネジが螺合し、オネジには把手が固定されていることが好ましい。この構成では、把手を握ってシリンダ部を支持しながら操作部を往復操作してホースの開口の角度を調節し、必要に応じて把手を回転させて操作部をシリンダ部に固定することにより、ホースの開口の角度を保つことができる。
【発明の効果】
【００１１】
本発明によれば、作業効率が良好でかつ耐久性の向上を図ることができるホース操作装置を提供することができる。
【発明を実施するための最良の形態】
【００１２】
以下、図面に基づき、本発明の実施の形態について説明する。
図１および図２は、本発明の実施の形態のホース操作装置を示している。ホース操作装置は、高圧洗浄機の噴出ノズルとして使用可能である。
図１に示すように、ホース操作装置１０は、ホルダ１１とホース１２とを有している。
【００１３】
ホルダ１１は、鋼鉄またはステンレスなどの金属製で、シリンダ部１３と支持部１４とを一体的に有している。このため、シリンダ部１３および支持部１４は、別の部材から成る場合に比べて破損しにくくなっている。シリンダ部１３は、円筒状である。支持部１４は、シリンダ部１３の半円筒部分を長さ方向に延長して成り、シリンダ部１３の先端より前方に伸びている。支持部１４は、先端１５が二股に分かれ、間隙をあけて対向している。支持部１４の各先端１５は、貫通孔１６を有している。シリンダ部１３の側面には突出部１３ａが設けられ、突出部１３ａにはメネジ孔１３ｂが形成されている。メネジ孔１３ｂにはオネジ１３ｃが螺合し、オネジ１３ｃには把手１３ｄが固定されている。
【００１４】
ホース１２は、柔軟部１７と操作部１８とを一体的に有している。柔軟部１７は、シリンダ部１３の内径よりやや小さい外径のゴム製の高圧ホースから成り、弾力的に復元可能な可撓性を有している。柔軟部１７は、シリンダ部１３の先端から突出している。柔軟部１７は、先端に金属製のノズル１９を有している。ノズル１９は、外周から直径方向に突出する１対の取付軸２０を有している。各取付軸２０は、支持部１４の各先端１５の貫通孔１６に回転可能に挿入されている。これにより、柔軟部１７は、支持部１４の先端１５に回転、揺動可能に取り付けられている。
【００１５】
操作部１８は、柔軟部１７の内径とほぼ同じ内径で、シリンダ部１３の内径とほぼ同じ外径の鋼鉄またはステンレスなどの金属製の管から成る。操作部１８は、柔軟部１７の後端に連通して固定されている。操作部１８は、シリンダ部１３の内部を貫通し、柔軟部１７より後端側でシリンダ部１３の後端から突出している。操作部１８は、シリンダ部１３の後端から突出した部分を握ってシリンダ部１３に対し往復操作可能となっている。シリンダ部１３のメネジ孔１３ｂに対しオネジ１３ｃを締め付けることにより、オネジ１３ｃの先端で操作部１８を任意の位置で固定可能となっている。操作部１８は、後端に噴出制御部２１を有している。噴出制御部２１は、グリップ２１ａとトリガー２１ｂとを有している。グリップ２１ａには、高圧洗浄機の本体に接続される他のホースが継手で接続可能となっている。トリガー２１ｂを指で引くことにより、ノズル１９から水を噴射し、トリガー２１ｂから指を離すことにより噴射を止めることができる。
【００１６】
次に、作用について説明する。
図２に示すように、ホース操作装置１０は、噴出制御部２１のグリップ２１ａと把手１３ｄとを両手で握って、シリンダ部１３の後端から突出したホース１２の操作部１８をシリンダ部１３の先端方向に向けて押すと、ホース１２の柔軟部１７が可撓性を有し支持部１４の先端１５に回転、揺動可能に取り付けられているため、支持部１４の先端１５とシリンダ部１３の先端との間で、柔軟部１７が支持部１４と離れる方向にたわむ。そのたわみに応じて、ノズル１９が支持部１４の先端１５で取付軸２０を中心として回転、揺動し、角度を変える。操作部１８の押す長さを調節することにより、ホース１２のノズル１９の開口の角度を調節することができる。操作部１８をシリンダ部１３の後端方向に向けて引くか、あるいは把手１３ｄから手を離すと、柔軟部１７が弾力的に復元可能な可撓性を有しているため、図１に示すように、ホース１２が元の状態に戻り、ノズル１９がホルダ１１および操作部１８と一直線上に配置される。
【００１７】
把手１３ｄを握ってシリンダ部１３を支持しながら操作部１８を往復操作してホース１２の開口の角度を調節し、必要に応じて把手１３ｄを回転させて操作部１８をシリンダ部１３に固定すれば、ホース１２の開口の角度を保つことができる。
【００１８】
ホース１２の柔軟部１７の開口の角度を調節することにより、例えば車体の底部などを容易に洗浄することができる。ホース１２の操作部１８を手元で往復操作することにより、支持部１４の先端１５とシリンダ部１３の先端との間の柔軟部１７をたわませ、作業をしながらホース１２の柔軟部１７の開口の角度を調節することができるので、作業効率が良好である。シリンダ部１３および操作部１８がいずれも硬質の材料から成っているため、シリンダ部１３に対する操作部１８の往復操作がしやすく、ホース１２の柔軟部１７の角度の調整が容易である。また、従来技術のように連結索を用いずに、シリンダ部１３の内部でホース１２を往復操作することによりホース１２の柔軟部１７の角度を変えるので、耐久性の向上を図ることができる。
【００１９】
ホース操作装置１０は、高圧洗浄機の噴出ノズルのほか、掃除機の吸込ノズルとして好適に用いることができる。掃除機の吸込ノズルとして用いた場合、高い位置や低い位置のほこりやごみを容易に吸引することができる。
【００２０】
なお、ホース操作装置１０は、ホース１２全体がゴム製の高圧ホースから成っていてもよい。この場合、操作部１８を、シリンダ部１３に対して押し進めたとき折れ曲がらないよう構成する。そのため、ホース１２の操作部１８の部分を柔軟部１７より固い材質で構成するか、操作部１８の部分を柔軟部１７より厚手に構成するとよい。また、柔軟部１７は、操作部１８を貫通して操作部１８に固定されていてもよい。なお、シリンダ部１３および操作部１８は、メネジ孔１３ｂに対しオネジ１３ｃを締め付ける構成以外のストッパによりシリンダ部１３に対し操作部１８を固定可能となっていてもよい。シリンダ部１３の内周および操作部１８の外周には、往復操作を容易にするため、互いに係合するレールを設けてもよい。また、トリガー２１ｂにより噴出される水の圧力を調節して、ノズル１９が柔軟部１７の内部の水圧の変化により取付軸２０を中心として揺動し、開口から噴出される水が一定の幅で揺れるようにしてもよい。その場合、柔軟部１７の材質としてそのために適度な柔軟性または弾力性のものを用いる。
【図面の簡単な説明】
【００２１】
【図１】本発明の実施の形態のホース操作装置を示す斜視図である。
【図２】図１に示すホース操作装置のホースの柔軟部を曲げた状態を示す斜視図である。
【符号の説明】
【００２２】
１０  ホース操作装置
１１  ホルダ
１２  ホース
１３  シリンダ部
１４  支持部
１５  先端
１６  貫通孔
１７  柔軟部
１８  操作部
１９  ノズル
２０  取付軸
２１  噴出制御部
【図１】
2005211802.tif 000003
【図２】
2005211802.tif 000004